(57)【要約】【課題】運転者の視認行動を的確に評価する。【解決手段】車載処理装置９は、各種センサ２〜８が所定時間毎に検出した各種情報を受信して、所定評価時間毎に視認行動情報と、自車両情報、周辺交通情報及び周辺道路情報（走行環境情報）とを生成し、生成した各種情報を管理処理装置１９へ送信する。管理処理装置１９は、車載処理装置９から各種情報を受信すると、受信した運転者情報と走行環境情報とに対応する視認行動評価データをデータベースから読み出し、読み出した視認行動評価データと受信した視認行動情報とを比較することによって、受信した視認行動情報に対して各種単位評価情報を生成する。【選択図】図１
2015026004.tif 000002
【特許請求の範囲】
【請求項１】
自車両の挙動を自車両情報として検出する自車両情報検出手段と、
前記自車両の周辺に存在する物体の前記自車両に対する位置及び挙動を周辺情報として検出する周辺情報検出手段と、
前記自車両の運転者の視認行動を視認行動情報として検出する視認行動情報検出手段と、
評価情報の生成に用いられる１群の視認行動評価データが任意の１つの自車両情報と任意の１つの周辺情報とによって特定されるように、複数の自車両情報と複数の周辺情報と複数群の視認行動評価データとが対応付けて記憶される記憶手段と、
前記自車両情報検出手段が検出した自車両情報と前記周辺情報検出手段が検出した周辺情報とに対応する１群の視認行動評価データを前記記憶手段から読み出し、読み出した視認行動評価データを用いて、前記視認行動情報検出手段が検出した視認行動情報に対して評価情報を生成する評価情報生成手段と、を備えた
ことを特徴とする視認行動評価装置。
【請求項２】
請求項１に記載の視認行動評価装置であって、
前記視認行動評価データは、視認行動情報を含み、
前記評価情報生成手段は、前記記憶手段から読み出した１群の視認行動評価データと前記視認行動情報検出手段が検出した視認行動情報とを比較することによって前記評価情報を生成する
ことを特徴とする視認行動評価装置。
【請求項３】
請求項２に記載の視認行動評価装置であって、
前記視認行動情報検出手段が検出した視認行動情報のうち、少なくとも前記自車両情報検出手段が検出した自車両情報と前記周辺情報検出手段が検出した周辺情報とに対応付けられた視認行動評価データとして前記記憶手段に記憶されていない視認行動情報を、前記検出された自車両情報と前記検出された周辺情報とに対応付けた視認行動評価データとして前記記憶手段に蓄積して記憶させる記憶制御手段を備えた
ことを特徴とする視認行動評価装置。
【請求項４】
請求項３に記載の視認行動評価装置であって、
前記自車両の運転者に対応する運転者情報を取得する運転者情報取得手段を備え、
前記記憶手段には、１群の視認行動評価データが任意の１つの自車両情報と任意の１つの周辺情報と任意の１つの運転者情報とによって特定されるように、複数の自車両情報と複数の周辺情報と複数の運転者情報と複数群の視認行動評価データとが対応付けて記憶され、
前記評価情報生成手段は、前記運転者情報取得手段が運転者情報を取得した状態では、前記自車両情報検出手段が検出した自車両情報と前記周辺情報検出手段が検出した周辺情報と前記運転者情報取得手段が取得した運転者情報とに対応する１群の視認行動評価データを前記記憶手段から読み出し、読み出した視認行動評価データを用いて前記評価情報を生成し、
前記記憶制御手段は、前記視認行動情報検出手段が検出した視認行動情報のうち、少なくとも前記自車両情報検出手段が検出した自車両情報と前記周辺情報検出手段が検出した周辺情報と前記運転者情報取得手段が取得した運転者情報とに対応付けられた視認行動評価データとして前記記憶手段に記憶されていない視認行動情報を、前記検出された自車両情報と前記検出された周辺情報と前記取得された運転者情報とに対応付けた視認行動評価データとして前記記憶手段に蓄積して記憶させる
ことを特徴とする視認行動評価装置。
【請求項５】
請求項３又は請求項４に記載の視認行動評価装置であって、
視認行動評価データとして前記記憶手段に記憶される全ての視認行動情報は、前記視認行動情報検出手段が検出した視認行動情報である
ことを特徴とする視認行動評価装置。
【請求項６】
請求項３〜請求項５の何れか１項に記載の視認行動評価装置であって、
前記記憶手段に記憶される前記視認行動評価データが所定の有効条件を満たすか否かを判定する判定手段を備え、
前記記憶制御手段は、前記判定手段が前記所定の有効条件を満たさないと判定した視認行動評価データを前記記憶手段に記憶しない又は前記記憶手段から削除する
ことを特徴とする視認行動評価装置。
【請求項７】
請求項２〜請求項６の何れか１項に記載の視認行動評価装置であって、
前記評価情報は、前記視認行動情報検出手段が検出した視認行動情報と前記記憶手段から読み出した１群の視認行動評価データとの類似点及び相違点の少なくとも一方を示す情報を含む
ことを特徴とする視認行動評価装置。
【請求項８】
請求項１〜７の何れか１項に記載の視認行動評価装置であって、
前記評価情報は、前記視認行動情報検出手段が検出した視認行動情報の適切さの程度を表す評価点を示す情報を含む
ことを特徴とする視認行動評価装置。
【請求項９】
請求項１〜請求項８の何れか１項に記載の視認行動評価装置であって、
前記評価情報を前記運転者に報知する報知手段を備えた
ことを特徴とする視認行動評価装置。
【発明の詳細な説明】
【技術分野】
【０００１】
本発明は、運転者の視認行動を評価する視認行動評価装置に関する。
【背景技術】
【０００２】
特許文献１には、運転者の水平視線角度が所定の角度以上であるか否かを所定のサンプリング時間毎に判定し、所定の角度以上であるとの判定が所定の許容時間継続した場合に脇見運転をしていると判断して運転者に警報を発する脇見運転判定装置が記載されている。所定の角度は、車両の操舵角によって異なり、操舵角が大きいほど大きく設定されている。
【０００３】
特許文献２には、自車両の運転行為と走行環境とを検出し、運転者の視線方向を所定時間蓄積した視線方向頻度分布と検出した自車両の運転行為及び走行環境に対応する規範視線方向頻度分布とを比較して運転者の安全確認が十分であるか否かを判定し、安全確認が十分でないと判定した場合に運転者に注意を喚起する注意換気装置が記載されている。自車両の運転行為は、定速走行中、加速中、右折中、左折中等である。走行環境は、直線、カーブ、交差点進入前等である。規範視線方向頻度分布は、規範となる視線方向の頻度分布を示し、自車両の運転行為毎に予め設定されている。
【０００４】
特許文献３には、運転者が自車両の進行方向前方に存在する移動体や障害物等の物体を視認しているかを判定し、視認していない場合には物体が自車両の走行の支障となる可能性があるかを更に判定して、物体が自車両の走行の支障となる場合に運転者に警報を出力する走行安全装置が記載されている。
【先行技術文献】
【特許文献】
【０００５】
【特許文献１】特開平８−２０７６１７号公報
【特許文献２】特開２００３−３２７００９号公報
【特許文献３】特開２００５−２８４７９８号公報
【発明の概要】
【発明が解決しようとする課題】
【０００６】
特許文献１や特許文献２に記載の装置では、自車両の挙動や道路環境のみに基づいて運転者の視認行動を評価している。しかし、自車両の挙動や道路環境が同じであっても、運転者がとるべき適切な視認行動が常に同じであるとは限らない。このため、運転者が適切な視認行動をとっているにも関わらず、その確認行動が不適切であると評価されてしまう可能性がある。
【０００７】
特許文献３に記載の装置は、運転者が進行方向前方に存在する物体を視認しているか否かを判断するものであり、運転者の視認行動を評価するものではない。
【０００８】
そこで、本発明は、運転者の視認行動を的確に評価することが可能な視認行動評価装置の提供を目的とする。
【課題を解決するための手段】
【０００９】
上記目的を達成すべく、本発明の第１の態様の視認行動評価装置は、自車両情報検出手段と周辺情報検出手段と視認行動情報検出手段と記憶手段と評価情報生成手段とを備える。自車両情報検出手段は、自車両の挙動を自車両情報として検出する。周辺情報検出手段は、自車両の周辺に存在する物体の自車両に対する位置及び挙動を周辺情報として検出する。視認行動情報検出手段は、自車両の運転者の視認行動を視認行動情報として検出する。記憶手段は、評価情報の生成に用いられる１群の視認行動評価データが任意の１つの自車両情報と任意の１つの周辺情報とによって特定されるように、複数の自車両情報と複数の周辺情報と複数群の視認行動評価データとが対応付けて記憶される。評価情報生成手段は、自車両情報検出手段が検出した自車両情報と周辺情報検出手段が検出した周辺情報とに対応する１群の視認行動評価データを記憶手段から読み出し、読み出した視認行動評価データを用いて、視認行動情報検出手段が検出した視認行動情報に対して評価情報を生成する。
【００１０】
上記構成では、自車両の挙動（自車両情報）と自車両の周辺に存在する物体の自車両に対する位置及び挙動（周辺情報）とを検出し、検出した自車両情報と周辺情報とに対応する視認行動評価データを用いて、運転者の視認行動（視認行動情報）に対して評価情報を生成する。このように、周辺情報を考慮して評価情報を生成するので、周辺車両等の挙動に応じて周囲を積極的に確認しているにも関わらずその確認行動が不適切であると評価されることを無くし、運転者の視認行動を的確に評価することができる。
【００１１】
また、本発明の第２の態様の視認行動評価装置は、上記第１の態様の視認行動評価装置であって、視認行動評価データは視認行動情報を含み、評価情報生成手段は、記憶手段から読み出した１群の視認行動評価データと視認行動情報検出手段が検出した視認行動情報とを比較することによって評価情報を生成する。
【００１２】
上記構成では、視認行動評価データは視認行動情報を含み、視認行動情報検出手段が検出した視認行動情報と視認行動評価データとを比較することによって、検出した視認行動情報に対して評価情報を生成する。このため、適切な点や不適切な点等詳細な評価を示す評価情報を生成することができ、運転者の視認行動を適不適のみでなく詳細に評価することができる。
【００１３】
また、本発明の第３の態様の視認行動評価装置は、上記第２の態様の視認行動評価装置であって、記憶制御手段を備える。記憶制御手段は、視認行動情報検出手段が検出した視認行動情報のうち、少なくとも自車両情報検出手段が検出した自車両情報と周辺情報検出手段が検出した周辺情報とに対応付けられた視認行動評価データとして記憶手段に記憶されていない視認行動情報を、検出された自車両情報と検出された周辺情報とに対応付けた視認行動評価データとして記憶手段に蓄積して記憶させる。
【００１４】
上記構成では、視認行動検出手段が検出した視認行動情報を視認行動評価データとして記憶手段に蓄積して記憶させ、視認行動情報検出手段が検出した視認行動情報と過去の視認行動情報を含む視認行動評価データとを比較することによって評価情報を生成する。このように、様々な視認行動を評価基準とすることによって、事故を招きかねない程度に危険性の高い視認行動は不適切であると評価しつつ、模範的ではないが危険性の低い視認行動を不適切ではないと評価するなど、柔軟に評価することができる。また、不適切な視認行動があったときに警告音を発するような装置に本発明の評価装置を適用した場合には、警告音の発生を最低限に抑え、運転者の煩わしさを低減することができる。
【００１５】
また、本発明の第４の態様の視認行動評価装置は、上記第３の態様の視認行動評価装置であって、自車両の運転者に対応する運転者情報を取得する運転者情報取得手段を備える。この場合、記憶手段には、１群の視認行動評価データが任意の１つの自車両情報と任意の１つの周辺情報と任意の１つの運転者情報とによって特定されるように、複数の自車両情報と複数の周辺情報と複数の運転者情報と複数群の視認行動評価データとが対応付けて記憶される。また、評価情報生成手段は、運転者情報取得手段が運転者情報を取得した状態では、自車両情報検出手段が検出した自車両情報と周辺情報検出手段が検出した周辺情報と運転者情報取得手段が取得した運転者情報とに対応する１群の視認行動評価データを記憶手段から読み出し、読み出した視認行動評価データを用いて評価情報を生成する。また、記憶制御手段は、視認行動情報検出手段が検出した視認行動情報のうち、少なくとも自車両情報検出手段が検出した自車両情報と周辺情報検出手段が検出した周辺情報と運転者情報取得手段が取得した運転者情報とに対応付けられた視認行動評価データとして記憶手段に記憶されていない視認行動情報を、検出された自車両情報と検出された周辺情報と取得された運転者情報とに対応付けた視認行動評価データとして記憶手段に蓄積して記憶させる。
【００１６】
上記構成では、自車両の運転者に対応する運転者情報を取得し、取得した運転者情報と検出した自車両情報及び周辺情報とに対応する視認行動評価データを用いて評価情報を生成する。このため、運転者それぞれの特徴を捉えて評価することができる。
【００１７】
また、本発明の第５の態様の視認行動評価装置は、上記第３又は第４の態様の視認行動評価装置であって、視認行動評価データとして記憶手段に記憶される全ての視認行動情報は、視認行動情報検出手段が検出した視認行動情報である。
【００１８】
上記構成では、視認行動評価データとして記憶手段に記憶される全ての視認行動情報は、視認行動情報検出手段が検出した視認行動情報である。このため、視認行動評価データに予め設定された模範的な視認行動情報が含まれる場合に比べて、より運転者の特徴を捉えて評価することができる。
【００１９】
また、本発明の第６の態様の視認行動評価装置は、上記第３〜第５の態様の視認行動評価装置であって、記憶手段に記憶される視認行動評価データが所定の有効条件を満たすか否かを判定する判定手段を備える。この場合、記憶制御手段は、判定手段が所定の有効条件を満たさないと判定した視認行動評価データを記憶手段に記憶しない又は記憶手段から削除する。
【００２０】
上記構成では、例えば不適切な視認行動情報等、所定の有効条件を満たさない視認行動情報を評価基準として用いない。このため、評価の精度の低下を防止することができる。
【００２１】
また、本発明の第７の態様の視認行動評価装置は、上記第２〜第６の態様の視認行動評価装置であって、評価情報は、視認行動情報検出手段が検出した視認行動情報と記憶手段から読み出した１群の視認行動評価データとの類似点及び相違点の少なくとも一方を示す情報を含む。
【００２２】
上記構成では、評価情報は、視認行動情報検出手段が検出した視認行動情報と視認行動評価データとの類似点及び相違点の少なくとも一方を示す情報を含む。このため、適切な点や不適切な点を具体的に把握することができる。
【００２３】
また、本発明の第８の態様の視認行動評価装置は、上記第１〜第７の態様の視認行動評価装置であって、評価情報は、視認行動情報検出手段が検出した視認行動情報の適切さの程度を表す評価点を示す情報を含む。
【００２４】
上記構成では、評価情報は、視認行動情報検出手段が検出した視認行動情報の適切さの程度を表す評価点を示す情報を含む。このため、視認行動の適切さを容易に判断することができる。
【００２５】
また、本発明の第９の態様の視認行動評価装置は、上記第１〜第８の態様の視認行動評価装置であって、評価情報を運転者に報知する報知手段を備える。
【００２６】
上記構成では、評価情報を運転者に報知する。このため、運転者が自身の視認行動の評価を把握することができ、不適切な視認行動の改善や士気の向上を図ることができる。
【発明の効果】
【００２７】
本発明によれば、運転者の視認行動を的確に評価することができる。
【図面の簡単な説明】
【００２８】
【図１】一実施形態の視認行動評価システムの構成図である。
【図２】評価レポートの一例を示す図である。
【発明を実施するための形態】
【００２９】
以下、本発明の一実施形態について、図面を参照して説明する。本実施形態は、本発明の視認行動評価装置における各種処理を適用した視認行動評価システムであって、運転者の視認行動を運行管理拠点において評価して管理するシステムである。図１は、一実施形態の視認行動評価システムの構成図である。図２は、評価レポートの一例を示す図である。
【００３０】
図１に示すように、本実施形態の視認行動評価システム１は、車両（自車両）に設けられるカメラ２、車速センサ３、加速度センサ４、方向指示器作動検出センサ５、操舵角センサ６、周辺物体検出センサ７、ＧＰＳ受信機８及び車載処理装置９と、運行管理拠点に設けられる管理処理装置１９とを備える。
【００３１】
カメラ２は、運転席に着座した運転者の顔を前方から撮像して画像データを生成し、生成した画像データを車載処理装置９へ順次送信する。
【００３２】
車速センサ３は、所定時間毎に車両の速度を検出し、検出した速度を車載処理装置９へ順次送信する。
【００３３】
加速度センサ４は、所定時間毎に車両の加速度を検出し、検出した加速度を車載処理装置９へ順次送信する。
【００３４】
方向指示器作動検出センサ５は、車両に設けられたウインカーランプを点滅又は消灯させる際に運転者が操作するターンシグナルスイッチの設定状態（右オン状態／左オン状態／オフ状態）を検出し、右オン状態又は左オン状態を検出したとき、ターンシグナルスイッチがオン状態（右オン状態／左オン状態）に設定されていることを示す信号（右オン信号及び左オン信号）を車載処理装置９へ所定時間毎に送信する。
【００３５】
操舵角センサ６は、所定時間毎に車両のステアリングシャフトの回転角（操舵角）を検出し、検出した操舵角を車載処理装置９へ順次送信する。
【００３６】
周辺物体検出センサ７は、レーザーレーダやミリ波レーダ等であり、所定時間毎に車両の周囲に存在する車両や歩行者、また障害物等の周辺物体を検出し、検出した周辺物体の車両に対する位置を検出して、検出した周辺物体及び該周辺物体の位置を車載処理装置９へ順次送信する。
【００３７】
ＧＰＳ受信機８は、所定時間毎にＧＰＳ用人工衛星から車両の位置情報（緯度経度情報）を受信し、受信した車両の位置情報を車載処理装置９へ順次送信する。
【００３８】
車載処理装置９は、ＩＤ入力部１０と記憶部１１とＣＰＵ（Central Processing Unit）１２と報知部１８とを有し、管理処理装置１９と無線通信可能に接続されている。
【００３９】
ＩＤ入力部１０は、運転者からのＩＤの入力を受け付け、ＩＤが入力されたとき、入力されたＩＤに対応する運転者情報をＣＰＵ１２へ送信する。すなわち、ＩＤ入力部１０は、自車両の運転者に対応する運転者情報を取得する運転者情報取得手段として機能する。
【００４０】
記憶部１１は、例えば、ＲＡＭ（Random Access Memory）などの記録媒体によって構成され、ＣＰＵ１２が各種処理を実行するための処理プログラムと各種処理において用いられる各種データとが記憶されている。ＣＰＵ１２が実行する各種処理には、各種情報を送受信する車両側送受信処理と、管理処理装置１９が各種評価情報の生成に用いる各種情報（評価用情報）を生成する評価用情報生成処理とが含まれる。各種データには、評価用情報生成処理に用いられる地図データが含まれる。また、記憶部１１は、各種情報が読み書き自在に記憶される記憶領域を有する。
【００４１】
ＣＰＵ１２は、記憶部１１に記憶されている処理プログラムを実行することによって、車両側送受信処理を実行する送受信部１３と、評価用情報生成処理を実行する視認行動情報生成部１４、自車両情報生成部１５、周辺交通情報生成部１６及び周辺道路情報生成部１７として機能する。なお、各種処理は、ＩＤ入力部１０に運転者からＩＤが入力されたときに開始される。
【００４２】
送受信部１３は、各種センサ２〜８及びＩＤ入力部１０が各種情報を送信したとき、送信された各種情報を受信する。また、ＩＤ入力部１０から運転者情報を受信したとき、受信した運転者情報を管理処理装置１９へ送信する。また、視認行動情報生成部１４、自車両情報生成部１５、周辺交通情報生成部１６及び周辺道路情報生成部１７が各種評価用情報を生成したとき、生成された各種評価用情報を管理処理装置１９へ送信する。更に、管理処理装置１９がメッセージ情報を送信したとき、送信されたメッセージ情報を受信して報知部１８へ送信する。
【００４３】
視認行動情報生成部１４は、所定の評価時間（所定評価時間、但し所定評価時間＞所定時間）毎に、送受信部１３がカメラ２から受信した画像データを用いて、運転者の視認行動を示す視認行動情報を生成する。視認行動とは、視認方向や各視認方向における視認時間、また視認方向の配分等である。すなわち、カメラ２と視認行動情報生成部１４とは、自車両の運転者の視認行動を視認行動情報として検出する視認行動情報検出手段として機能する。
【００４４】
自車両情報生成部１５は、所定評価時間毎に、送受信部１３が車速センサ３、加速度センサ４、方向指示器作動検出センサ５及び操舵角センサ６から受信した各種情報を用いて、車両の挙動を示す自車両情報を生成する。すなわち、車速センサ３、加速度センサ４、方向指示器作動検出センサ５、操舵角センサ６及び自車両情報生成部１５は、自車両の挙動を自車両情報として検出する自車両情報検出手段として機能する。
【００４５】
周辺交通情報生成部１６は、所定評価時間毎に、送受信部１３が車速センサ３及び周辺物体検出センサ７から受信した各種情報を用いて、車両周辺の交通状況を示す周辺交通情報（周辺情報）を生成する。車両周辺の交通状況とは、先行車両や追い越し車両、側方走行車両、周辺の歩行者等の有無、またこれらの自車両に対する位置や速度等である。すなわち、車速センサ３、周辺物体検出センサ７及び周辺交通情報生成部１６は、自車両の周辺に存在する物体の自車両に対する位置及び挙動を周辺交通情報として検出する周辺情報検出手段として機能する。
【００４６】
周辺道路情報生成部１７は、所定評価時間毎に、送受信部１３がＧＰＳ受信機８から受信した位置情報と記憶部１１に記憶されている地図データとを用いて、車両が走行している周辺道路の環境を示す周辺道路情報を生成する。周辺道路の環境とは、車線数や形状（直線、カーブ等）、道路の種別（自動車専用道路、一般道路等）、また交差点の有無等である。
【００４７】
報知部１８は、スピーカを有し、ＣＰＵ１２が送信したメッセージ情報を受信して、受信した情報に応じたメッセージを出力する。すなわち、報知部１８は、評価情報を運転者に報知する報知手段として機能する。
【００４８】
管理処理装置１９は、入力部２０と記憶部２１とＣＰＵ２２と表示部２８とを有する。
【００４９】
入力部２０は、操作者から後述する評価レポートの作成対象となる運転者を示す対象運転者情報と評価レポートを作成するレポート作成指示と評価レポートを出力するレポート出力指示との入力を受け付け、対象運転者情報、レポート作成指示及びレポート出力指示が入力されたとき、入力された情報及び指示をＣＰＵ２２へ送信する。
【００５０】
記憶部２１は、例えば、ＲＡＭなどの記録媒体によって構成され、ＣＰＵ２２が各種処理を実行するための処理プログラムと各種処理において用いられる各種データとが記憶されている。ＣＰＵ２２が実行する各種処理には、各種情報を送受信する管理側送受信処理と、車載処理装置９から受信した各種評価用情報を用いて各種単位評価情報（評価情報）を生成する単位評価情報生成処理と、後述するデータベースを構築するデータベース構築処理と、各種単位評価情報に基づいて総合評価情報を生成する総合評価情報生成処理とが含まれる。
【００５１】
また、記憶部２１は、各種情報が読み書き自在に記憶される記憶領域を有する。記憶領域には、単位評価情報生成処理に用いられるデータベースと、総合評価用情報が記憶される総合評価用情報記憶領域と、総合評価情報が記憶される総合評価情報記憶領域とが設定されている。データベースには、１群の視認行動評価データが所定の複数の走行環境情報のうちの１つの走行環境情報と予め登録された複数の運転者情報のうちの１つの運転者情報とによって特定されるように、所定の複数の走行環境情報と予め登録された複数の運転者情報と複数群の視認行動評価データとが対応付けて蓄積して記憶される。データベースに記憶されている全ての視認行動評価データは、ＣＰＵ２２が各種単位評価情報を生成した視認行動情報である。また、走行環境情報とは、自車両情報と周辺交通情報と周辺道路情報とを組み合わせた情報である。すなわち、データベースは、１群の視認行動評価データが任意の１つの自車両情報と任意の１つの周辺交通情報と任意の１つの運転者情報とによって特定されるように、複数の自車両情報と複数の周辺交通情報と複数の運転者情報と複数群の視認行動評価データとが対応付けて蓄積して記憶される記憶手段として機能する。なお、データベースは、１つであってもよく、運転者や走行環境毎に設定する等、複数であってもよい。
【００５２】
ＣＰＵ２２は、記憶部２１に記憶されている処理プログラムを実行することによって、管理側送受信処理を実行する送受信部２３と、単位評価情報生成処理を実行する単位評価情報生成部２４と、データベース構築処理を実行するデータ判定部２５及びデータベース構築部２６と、総合評価情報生成処理を実行する総合評価情報生成部２７として機能する。
【００５３】
送受信部２３は、車載処理装置９及び入力部２０が各種情報を送信したとき、送信された各種情報を受信する。また、入力部２０がレポート出力指示を受信したとき、記憶部２１に記憶されている総合評価情報を外部の情報出力装置（プリンタ、図示省略）へ送信する。また、単位評価情報生成部２４が単位評価情報（類似相違情報、点数情報及びメッセージ情報）を生成したとき、生成された類似相違情報及び点数情報を表示部２８へ送信し、メッセージ情報を車載処理装置９へ送信する。更に、総合評価情報生成部２７が総合評価情報を生成したとき、生成された総合評価情報を表示部２８へ送信する。
【００５４】
単位評価情報生成部２４は、送受信部２３が車載処理装置９から視認行動情報、自車両情報、周辺交通情報、周辺道路情報及び運転者情報を受信したとき、受信した自車両情報、周辺交通情報、周辺道路情報及び運転者情報と記憶部２１に記憶されているデータベースとを用いて、受信された視認行動情報に対して各種単位評価情報を生成する。各種単位評価情報は、１つの視認行動情報に対する評価を示す情報、つまり、所定評価時間内の視認行動の評価を示す情報であり、類似相違情報と点数情報とメッセージ情報とを含む。類似相違情報は、視認行動評価データと視認行動情報との類似点及び相違点を示す情報である。点数情報は、視認行動情報の適切さの程度を表す評価点（例えば、（５点中）５点等）を示す情報である。メッセージ情報は、視認行動情報の適切な点や不適切な点を具体的に表すメッセージ（例えば、適切な安全確認ができました、左後方の安全確認が不十分です、前方不注視です等）を示す情報である。
【００５５】
単位評価情報生成部２４は、各種単位評価情報の生成において、自車両情報と周辺交通情報と周辺道路情報との組み合わせに該当する走行環境情報を特定し、特定した走行環境情報と運転者情報とに対応する視認行動評価データをデータベースから全て読み出す。視認行動評価データを読み出すと、単位評価情報生成部２４は、読み出した視認行動評価データと視認行動情報とを比較することによって、類似相違情報を生成し、生成した類似相違情報に基づいて、点数情報を生成する。単位評価情報生成部２４は、点数情報を生成すると、生成した点数情報に示された評価点が第１の所定値以上又は第２の所定値以下（例えば、５点満点中５，２，１点等、但し第１所定値＞第２所定値）であるか否かを判定し、評価点が第１の所定値以上又は第２の所定値以下である場合には、類似相違情報に基づいてメッセージ情報を生成する。単位評価情報生成部２４は、各種単位評価情報を生成すると、生成した類似相違情報及び点数情報と、各種単位評価情報の生成に用いた運転者情報、走行環境情報及び視認行動情報とを、互いに関連付けて総合評価情報の生成に用いる総合評価用情報として記憶部２１の総合評価用情報記憶領域に記憶する。なお、単位評価情報生成部２４は、各運転者の初回運行時等、データベースに読み出すべき視認行動評価データが記憶されていない場合には、各種単位評価情報は生成しない。
【００５６】
すなわち、単位評価情報生成部２４は、ＩＤ入力部１０が運転者情報を取得した状態では、自車両情報生成部１５が生成した自車両情報と周辺交通情報生成部１６が生成した周辺交通情報とＩＤ入力部１０が取得した運転者情報とに対応する１群の視認行動評価データを記憶部２１に記憶されているデータベースから読み出し、読み出した視認行動評価データと視認行動情報生成部１４が生成した視認行動情報とを比較することによって、視認行動情報生成部１４が生成した視認行動情報に対して単位評価情報を生成する評価情報生成手段として機能する。
【００５７】
データ判定部２５は、単位評価情報生成部２４が各種単位評価情報を生成したとき、各種単位評価情報が生成された視認行動情報が所定の有効条件を満たすか否かを判定する。この判定は、不適切な視認行動情報をデータベースに記憶させない（以後の評価における評価基準としない）ためのものであり、所定の有効条件は、既にデータベースに記憶されている視認行動評価データと大きく乖離しないかを判断できるように設定される。すなわち、データ判定部２５は、データベースに記憶される視認行動評価データが所定の有効条件を満たすか否かを判定する判定手段として機能する。
【００５８】
データベース構築部２６は、各種単位評価情報が生成された視認行動情報が所定の有効条件を満たすとデータ判定部２５が判定したとき、該視認行動情報を、視認行動評価データとして、受信された運転者情報と単位評価情報生成部２４が特定した走行環境情報とに対応付けてデータベースに記憶させる。すなわち、データベース構築部２６は、視認行動情報生成部１４が生成した視認行動情報のうち、少なくとも自車両情報生成部１５が生成した自車両情報と周辺交通情報生成手段１６が生成した周辺交通情報とＩＤ入力部１０が取得した運転者情報とに対応付けられた視認行動評価データとしてデータベースに記憶されていない視認行動情報を、生成された自車両情報及び周辺交通情報と取得された運転者情報とに対応付けた視認行動評価データとしてデータベースに蓄積して記憶させ、データ判定部２５が所定の有効条件を満たさないと判定した視認行動評価データをデータベースに記憶しない又はデータベースから削除する記憶制御手段として機能する。
【００５９】
総合評価情報生成部２７は、送受信部２３が入力部２０から対象運転者情報及びレポート作成指示を受信したとき、記憶部２１の総合評価用情報記憶領域から対象運転者情報に対応する総合評価用情報を読み出し、読み出した総合評価用情報を用いて、評価レポートに記載する総合評価情報を生成する。評価レポートは、運転者の視認行動に関する総合的な評価が示され、例えば、図２に示すように、１回の運行毎に項目別評価（評価点及びコメント）と総合評価（評価点及びコメント）とが記載されるようなものである。総合評価情報生成部２７は、総合評価情報を生成すると、生成した総合評価情報を運転者情報に関連付けて記憶部２１の総合評価情報記憶領域に記憶する。
【００６０】
表示部２８は、ＣＰＵ２２が送信した類似相違情報、点数情報及び総合評価情報を受信し、受信した情報に応じた画像を表示する。
【００６１】
上記のように構成された視認行動評価システム１では、車載処理装置９は、ＩＤ入力部１０に運転者からＩＤが入力されると、入力されたＩＤに対応する運転者情報を管理処理装置１９へ送信するとともに、各種センサ２〜８が所定時間毎に検出した各種情報を受信して、所定評価時間毎に視認行動情報、自車両情報、周辺交通情報及び周辺道路情報を生成し、生成した各種情報を管理処理装置１９へ送信する。そして、管理処理装置１９は受信した視認行動情報に対して類似相違情報及び点数情報（単位評価情報）を生成し、生成した情報を表示部２８に表示する。また、点数情報に示された評価点が第１の所定値以上又は第２の所定値以下の場合には、管理処理装置１９は、メッセージ情報を生成し、生成したメッセージ情報を車載処理装置９へ送信する。車載処理装置９は、メッセージ情報を受信すると、受信したメッセージ情報に応じたメッセージを運転者に出力する。
【００６２】
また、管理処理装置１９は、入力部２０に対象運転者情報及びレポート作成指示が入力されると、評価レポートに記載する総合評価情報を生成して表示部２８に表示し、入力部２０にレポート出力指示が入力されると、生成した総合評価情報を外部の情報出力装置（プリンタ）へ送信する。
【００６３】
また、管理処理装置１９は、類似相違情報及び点数情報の生成を、受信した運転者情報と走行環境情報（自車両情報、周辺交通情報及び周辺道路情報）とに対応する視認行動評価データを記憶部２１に記憶されているデータベースから読み出し、読み出した視認行動評価データと受信した視認行動情報とを比較することによって行う。データベースに記憶されている視認行動評価データは、既に類似相違情報及び点数情報が生成された視認行動情報のうち、所定の有効条件を満たしたものである。
【００６４】
このように、本実施形態の視認行動評価システム１によれば、自車両の挙動と周辺の環境を考慮して各種評価情報を生成するので、運転者の視認行動を的確に評価することができる。
【００６５】
また、各種単位評価情報の生成は、視認行動情報とデータベースに記憶されている視認行動評価データとを比較することによって行うので、適切な点や不適切な点を具体的に把握可能な類似相違情報や視認行動の適切さを容易に判断可能な点数情報といった詳細な評価を示す評価情報を生成することができ、運転者の視認行動を適不適のみでなく詳細に評価することができる。
【００６６】
また、過去の視認行動情報を評価基準として用いるので、危険性の高い視認行動は不適切であると評価しつつ、模範的ではないが危険性の低い視認行動を不適切ではないと評価するなど、運転者それぞれの特徴を捉えて柔軟に評価することができる。
【００６７】
また、所定の有効条件を満たす視認行動情報のみを視認行動評価データとしてデータベースに記憶するので、評価の精度の低下を防止することができる。
【００６８】
また、評価点が良いとき又は悪いときにのみ、視認行動の適切な点や不適切な点を運転者に報知するので、運転者への報知を最低限に抑えて運転者の煩わしさを低減しつつ、運転者が自身の視認行動の評価を把握して不適切な視認行動の改善や士気の向上を図ることができる。
【００６９】
また、管理処理装置１９の表示部２８に類似相違情報と点数情報とをリアルタイムで表示するので、運行管理者が運転者の視認行動を常に監視することができ、状況に応じて適切な指示を出すことができる。
【００７０】
また、運転者の視認行動に関する総合的な評価が記載された評価レポートを作成するので、運転者が自身の視認行動を十分に把握することができるとともに、運行管理者が適切な安全指導を行うことができる。
【００７１】
なお、本実施形態では、運転者の視認行動を運行管理拠点において評価して管理する視認行動評価システム１に本発明の視認行動評価装置における各種処理を適用しているが、これに限らず、運転者の視認行動を評価して運転者へ注意喚起する装置等、運転者の視認行動を評価する処理を実行する他の装置等に適用してもよく、また、本発明の視認行動評価装置を他の装置等とは独立して備えてもよい。
【００７２】
また、上記の視認行動評価システム１は、車載処理装置９で自車両情報、周辺交通情報及び周辺道路情報を生成し、管理処理装置１９で各種評価情報を生成する構成であるが、車載処理装置９で各種評価情報を生成する処理を実行する構成や、管理処理装置１９で自車両情報等を生成する構成等であってもよい。
【００７３】
また、視認行動情報、自車両情報、周辺交通情報及び周辺道路情報を生成するための各種情報を検出するセンサ２〜８は、上記に限定されず、他のセンサや上記のセンサ２〜８の一部等であってもよく、また、上記のセンサ２〜８に加えて他のセンサ等を設けてもよい。
【００７４】
また、上記の視認行動評価システム１は、所定の有効条件を満たしている視認行動情報の全てをデータベースに記憶させる構成であるが、所定の有効条件を満たしている視認行動情報のうちデータベースに記憶されていない視認行動情報のみをデータベースに記憶させる構成であってもよい。また、所定の有効条件を満たしていない視認行動情報をデータベースに記憶させない構成ではなく、所定の有効条件を満たしていない視認行動情報も一旦記憶し、後に削除するような構成であってもよい。また、所定の有効条件を満たしていない視認行動情報も全て蓄積させる構成であってもよい。
【００７５】
また、上記の視認行動評価システム１は、視認行動情報生成部１４が生成した視認行動情報のみをデータベースに記憶させる構成であるが、規範となる規範視認行動評価データを予め設定してデータベースに記憶させておく構成であってもよい。また、規範視認行動評価データのみが記憶されている規範データベースを上記データベースとは別に設け、上記データベースに読み出すべき視認行動評価データが無い場合、規範データベースから規範視認行動評価データを読み出して各種評価情報を生成する構成としてもよい。また、規範データベースのみを設け、視認行動情報生成部１４が生成した視認行動情報と規範視認行動評価データとの比較によって各種評価情報を生成する構成であってもよい。
【００７６】
また、各種単位評価情報の生成に用いる視認行動評価データを特定する情報は、走行環境情報（自車両情報、周辺交通情報及び周辺道路情報）と運転者情報とに限定されるものではなく、少なくとも自車両情報と周辺交通情報とを含んでいればよく、例えば、自車両情報と周辺交通情報と具体的な走行位置（例えば〇〇交差点等）を示す情報等であってもよい。
【００７７】
また、各種評価情報の生成を、視認行動情報生成部１４が生成した視認行動情報とデータベースから読み出した視認行動評価データとの比較のみで行うことに限らず、視認行動情報とは異なる評価基準を設け、この評価基準に基づく評価処理を行ってもよい。
【００７８】
また、管理処理装置１９が生成する評価情報は、上記に限定されず、上記の評価情報の一部や他の情報であってもよく、他の情報を含んでもよい。
【００７９】
また、運転者への視認行動の評価結果の報知は、メッセージであることに限定されず、ブザー音等他の形態であってもよい。また、評価結果をその都度運転者へ報知しなくてもよい。
【００８０】
上記実施形態は、本発明の一例であり、本発明を逸脱しない範囲において変更可能である。
【産業上の利用可能性】
【００８１】
本発明は、運転者の視認行動の評価に有効である。
【符号の説明】
【００８２】
１：視認行動評価システム
２：カメラ（視認行動検出手段）
３：車速センサ（自車両情報検出手段、周辺情報検出手段）
４：加速度センサ（自車両情報検出手段）
５：方向指示器作動検出センサ（自車両情報検出手段）
６：操舵角センサ（自車両情報検出手段）
７：周辺物体検出センサ（周辺情報検出手段）
９：車載処理装置
１０：ＩＤ入力部（運転者情報取得手段）
１４：視認行動情報生成部（視認行動検出手段）
１５：自車両情報生成部（自車両情報検出手段）
１６：周辺交通情報生成部（周辺情報検出部）
１８：報知部（報知手段）
１９：管理処理装置
２１：記憶部（記憶手段）
２４：単位評価情報生成手段（評価情報生成手段）
２５：データ判定部（判定手段）
２６：データベース構築部（記憶制御手段）
【図１】
2015026004.tif 000003
【図２】
2015026004.tif 000004